(57)【要約】【課題】設置スペースを小さくすることができる等の追尾型太陽光発電装置を得る。【解決手段】この発明に係る追尾型太陽光発電装置は、南北方向に延びているとともに東西方向に間隔をあけて配置される複数の回転・移動軸１ａ，１ｂ，１ｃ‥‥‥と、この回転・移動軸１ａ，１ｂ，１ｃ‥‥‥の端部に設けられ、回転・移動軸を太陽の方位角に沿って追尾して回転させるとともに、軸線方向に移動させる駆動手段３と、それぞれの回転・移動軸１ａ，１ｂ，１ｃ‥‥‥に間隔をあけて設けられた太陽電池パネル２とを備え、回転・移動軸１ａ，１ｂ，１ｃ‥‥‥は、駆動手段３の駆動により軸線方向に移動され、太陽電池パネル２により生じる影が、東西方向に隣接した太陽電池パネル２に及ぶのを低減する。【選択図】図１
2010205762.tif 000002
【特許請求の範囲】
【請求項１】
南北方向に延びているとともに東西方向に間隔をあけて配置される複数の回転・移動軸と、
この回転・移動軸の端部に設けられ、回転・移動軸を太陽の方位角に沿って追尾して回転させるとともに、軸線方向に移動させる駆動手段と、
それぞれの前記回転・移動軸に間隔をあけて設けられた太陽電池パネルとを備え、
前記回転・移動軸は、前記駆動手段の駆動により前記軸線方向に移動され、前記太陽電池パネルにより生じる影が、東西方向に隣接した太陽電池パネルに及ぶのを低減することを特徴とする追尾型太陽光発電装置。
【請求項２】
矩形状の前記太陽電池パネルには、太陽電池パネルの受光面に対する法線を中心に回転させる駆動モータが設けられていることを特徴とする請求項１に記載の追尾型太陽光発電装置。
【請求項３】
前記駆動モータは、前記影が隣接した前記太陽電池パネルに当たる領域を制御するように駆動制御されることを特徴とする請求項２に記載の追尾型太陽光発電装置。
【請求項４】
前記回転・移動軸に並んで設けられているとともに前記回転・移動軸と同期して回転する傾斜角変更用軸と、
この傾斜角変更用軸の端部に設けられ傾斜角変更用軸を軸線方向に移動させる移動モータと、
前記回転・移動軸と前記傾斜角変更用軸との相対移動により、前記太陽電池パネルの南北方向に対する傾斜角度を変更可能にする傾斜角変更機構とを備えたことを特徴とする請求項１〜３の何れか１項に記載の追尾型太陽光発電装置。
【請求項５】
前記駆動手段は、前記移動モータと共有化した、前記回転・移動軸を前記軸線方向に移動させる駆動モータと、この駆動モータの駆動力を前記回転・移動軸または前記傾斜角変更用軸に伝達するように切り換える切換機構とを有していることを特徴とする請求項４に記載の追尾型太陽光発電装置。
【発明の詳細な説明】
【技術分野】
【０００１】
この発明は、太陽の方位角に沿って追尾して太陽電池パネルを回転移動させる追尾型太陽光発電装置に関するものである。
【背景技術】
【０００２】
ＣＯ２の増加や資源問題などの環境問題に対して、太陽のエネルギーを利用する追尾型太陽光発電装置の開発が盛んに行われている。
建築物の屋上や屋根を利用して電力を得ることで必要なエネルギーの一部等を補助的に使用しているが、より多くの発電量を得るために大規模なサイトを設けて追尾型太陽光発電装置として構築し、発電所レベルのエネルギーを供給することも行われ始めている。
【０００３】
太陽は、日の出から日の入りまで１８０°移動し、季節によってその高度（赤緯）も変化する。
その際に太陽電池パネル（以下、パネルと略称する）を固定したものでは、パネルの地面に対する傾斜角度が１年を通じて常に一定であるため、日中及び季節に応じた太陽光の方向が異なるごとに追尾することができず、発電効率は悪い。
このような不都合を解消すべく、太陽追尾機能付きの追尾型太陽光発電装置には、パネルの受光面を日の出から日の入りまでの方位角に沿って追尾するように駆動する方位角軸を有する、所謂一軸追尾方式の追尾型太陽光発電装置と、この方位角軸と併せて四季によって変化する赤緯に対して追従するように駆動する傾斜角軸を有する、所謂二軸追尾方式とが知られている。
なお、これらの追尾型太陽光発電装置では、パネルの面積を増大させることで大量の発電量を得ることができるものの、パネルのサイズを大きくすることは、強度及びコストの点で制約を受けることから、複数のパネルで構成されている。
【０００４】
例えば、下記の特許文献１に記載された追尾型太陽光発電装置は、上記一軸追尾方式であり、パネルの裏側に、動力源である電動ジャッキをリニア駆動して、軸周りにパネルを回転移動させるものである。
この太陽光発電装置の場合、発電規模が大きくなるとパネルの数が増大するが、これに伴い各パネルごとに駆動する動力源をパネルの裏側に取り付けなければならず、そのためコストが増大するという問題点があった。
【０００５】
これに対しては、下記の特許文献２に記載された追尾型太陽光発電装置は、各パネルを回転軸で連結し、この回転軸を一つの動力源で動かすことで低コスト化を図ったものである。
しかしながら、この追尾型太陽光発電装置の場合、一軸追尾方式であり、この追尾型太陽光発電装置に、四季によって変化する赤緯に対して追従する機構を備えようとした場合には、上記傾斜角軸については、各パネル毎に設置しなければならず、コストが増大してしまうという問題点があった。
【０００６】
一方、下記の特許文献３に記載された追尾型太陽光発電装置は、上記二軸追尾方式の太陽光発電装置であり、ターンテーブル上で互いに連結され、個々にパネルが設置された支持台を備えており、一つの駆動源でターンテーブル上の各支持台を一方向に移送させることで各パネルの傾斜角度を同時に変更させるものであり、コストを低減化することができる。
しかしながら、この二軸追尾方式の太陽光発電装置の場合、太陽光によるパネル自身の影を回避して傾斜角度を変更するためには、ターンテーブルにおいて各支持台を一方向に移送することを可能にするスペースを必要とし、設置スペースが増大するという問題点があった。
【先行技術文献】
【特許文献】
【０００７】
【特許文献１】特開２００７-２５８３５７号公報
【特許文献２】米国特許出願公開第２００４／０２３８０２５号明細書
【特許文献３】特開平３-１４５１６８号公報
【発明の概要】
【発明が解決しようとする課題】
【０００８】
上記特許文献１〜３に記載された追尾型太陽光発電装置の何れにおいても、上述したように、コスト、設置スペースの点で問題点を有しているとともに、パネル自身により生じた影が隣接したパネルに及ぶのをできるだけ避けるために、隣接したパネルの間隔を大きくする必要性があり、その点からの設置スペースが増大する。
図２７は、その説明図であり、南北方向に延びているとともに東西方向に間隔をあけて配置される複数の回転軸３１ａ，３１ｂ，３１ｃのそれぞれに、南北方向に間隔をあけて多数の燃料電池パネル２（以下、パネルと略称する）が取り付けられ、太陽の方位角に沿って追尾して回転軸３１ａ，３１ｂ，３１ｃが回転するようになっている。
【０００９】
この追尾型太陽光発電装置の場合、図２7に示すように日の出、日の入りの時間帯では、東西方向に生じた影８が大きくのびている。
また、お昼の時間帯では、パネル２により生じる影８は南北方向にのびる。
従って、パネル２の影８は、東西方向及び南北方向にそれぞれ隣接したパネル２にまでのびることになり、この影８の影響を出来るだけ小さくするためには、東西方向及び南北方向にそれぞれ隣接したパネル２間の距離を大きくしなければならず、それだけ広大な敷地スペースが必要になるという問題点があった。
【００１０】
また、日の出、日の入りの時間帯では太陽高度は低く、影８が東西方向に大きくのびており、また１年を通じて影８の領域は移動しているために、影８が隣接したパネル２に完全に及ばないようにすることはほぼ不可能である。
従って、影８が及ぶとしても、日射強度が弱い日の出、日の入りの時間帯において、影８がパネル２に及ぶように、パネル２を配置設計とすることが望ましい。
【００１１】
また、影８がパネル２に及ぼす面積の大きさ、時間帯とともに、影８がパネル２に当たる箇所も、太陽光発電装置の発電能力に影響を及ぼす。
図２８及び図２９には、パネル２のバイパスダイオード１８の近くのセル１９に影８が落ちているが、そのセル１９の列の抵抗が大きくなり、バイパスに電流が流れるためにその列のセル１９の発電が得られなくなる。
図２８及び図２９における影８の面積の大きさは、それぞれほぼ同じ程度であるが、図２８のパネル２の方が図２９のパネル２と比較して多くのセル１９の列に影８が落ちている（図２８では３列、図２９は２列である）。
従って、図２８のパネル２の方が図２９のパネル２と比較して、有効に活用できていない多くのセル１９が発生することになり、パネル２の影８の位置も発電能力に影響を及ぼす。
上記特許文献１〜３に記載された追尾型太陽光発電装置については、何れも隣接したパネルに及ぼす影８の位置についての具体的手段は講じてなく、それだけパネル発電能力が低いという問題点があった。
【００１２】
この発明は、上記のような問題点を解決することを課題とするものであって、設置スペースを縮小することができるとともに、発電能力を向上させることができる等の追尾型太陽光発電装置を得ることを目的とする。
【課題を解決するための手段】
【００１３】
この発明に係る追尾型太陽光発電装置は、南北方向に延びているとともに東西方向に間隔をあけて配置される複数の回転・移動軸と、この回転・移動軸の端部に設けられ、回転・移動軸を太陽の方位角に沿って追尾して回転させるとともに、軸線方向に移動させる駆動手段と、それぞれの前記回転・移動軸に間隔をあけて設けられた太陽電池パネルとを備え、
前記回転・移動軸は、前記駆動手段の駆動により前記軸線方向に移動され、前記太陽電池パネルにより生じる影が、東西方向に隣接した太陽電池パネルに及ぶのを低減するようになっている。
【発明の効果】
【００１４】
この発明に係る追尾型太陽光発電装置によれば、回転・移動軸は、駆動手段の駆動により軸線方向に移動され、太陽電池パネルにより生じる影が、東西方向に隣接した太陽電池パネルに及ぶのを低減するようになっているので、隣接した回転・移動軸間の距離を小さくすることができ、設置スペースを小さくすることができる。
【図面の簡単な説明】
【００１５】
【図１】この発明の実施の形態１の追尾型太陽光発電装置を示す斜視図である。
【図２】図１の要部斜視図である。
【図３】図１の追尾型太陽光発電装置の回転・移動軸の回転前の図である。
【図４】図１の追尾型太陽光発電装置の回転・移動軸の回転後の図である。
【図５】図１の追尾型太陽光発電装置の回転・移動軸の移動前の図である。
【図６】図１の追尾型太陽光発電装置の回転・移動軸の移動後の図である。
【図７】図１の追尾型太陽光発電装置のパネルの回転前の図である。
【図８】図１の追尾型太陽光発電装置のパネルの回転後の図である。
【図９】図１の追尾型太陽光発電装置の一使用態様を示す図である。
【図１０】図１の追尾型太陽光発電装置の他の使用態様を示す図である。
【図１１】図１の追尾型太陽光発電装置のさらに他の使用態様を示す図である。
【図１２】この発明の実施の形態２の追尾型太陽光発電装置を示す要部斜視図である。
【図１３】図１２の追尾型太陽光発電装置の回転・移動軸の回転前の図である。
【図１４】図１２の追尾型太陽光発電装置の回転・移動軸の回転後の図である。
【図１５】図１２の追尾型太陽光発電装置の回転・移動軸の移動前の図である。
【図１６】図１２の追尾型太陽光発電装置の回転・移動軸の移動後の図である。
【図１７】この発明の実施の形態３の追尾型太陽光発電装置を示す斜視図である。
【図１８】図１７の要部斜視図である。
【図１９】図１７の追尾型太陽光発電装置の回転・移動軸の回転前の図である。
【図２０】図１７の追尾型太陽光発電装置の回転・移動軸の回転後の図である。
【図２１】図１７の追尾型太陽光発電装置の回転・移動軸の移動前の図である。
【図２２】図１７の追尾型太陽光発電装置の回転・移動軸の移動後の図である。
【図２３】図１７の追尾型太陽光発電装置のパネルの傾斜前の図である。
【図２４】図１７の追尾型太陽光発電装置のパネルの傾斜後の図である。
【図２５】図１７の追尾型太陽光発電装置のパネルの回転前の図である。
【図２６】図１７の追尾型太陽光発電装置のパネルの回転後の図である。
【図２７】従来の追尾型太陽光発電装置のパネルの配置を示す図である。
【図２８】バイパスダイオード付近のパネルに影が及ぼす一例を示す説明図である。
【図２９】バイパスダイオード付近のパネルに影が及ぼす他の例を示す説明図である。
【発明を実施するための形態】
【００１６】
以下、この発明の各実施の形態について図に基づいて説明するが、各図において同一、または相当部材、部位については、同一符号を付して説明する。
【００１７】
実施の形態１．
図１はこの発明の実施の形態１の一軸方式の追尾型太陽光発電装置を示す全体構成図、図２は図１の追尾型太陽光発電装置の要部斜視図である。
この追尾型太陽光発電装置では、南北方向に延びているとともに東西方向に等分間隔をあけて複数の回転・移動軸１ａ，１ｂ，１ｃ‥‥‥が配置されている。この各回転・移動軸１ａ，１ｂ，１ｃ‥‥‥には、それぞれ等分間隔で矩形形状の太陽電池パネル（以下、パネルと略称する）２が配設されている。各回転・移動軸１ａ，１ｂ，１ｃ‥‥‥の一端部には、回転・移動軸１ａ，１ｂ，１ｃ‥‥‥を回転させ、また軸線方向に移動させる駆動源である駆動手段３が設けられている。
駆動手段３は、ケース内に、回転・移動軸１ａ，１ｂ，１ｃ‥‥‥に連結され、回転・移動軸１ａ，１ｂ，１ｃ‥‥‥を回転する回転モータ（図示せず）と、回転・移動軸１ａ，１ｂ，１ｃ‥‥‥に連結され、回転・移動軸１ａ，１ｂ，１ｃ‥‥‥を軸線方向に移動させる移動モータ（図示せず）が収納されている。
【００１８】
各回転・移動軸１ａ，１ｂ，１ｃ‥‥‥は、等分間隔で配置された逆Ｖ字形状のベース４の頭部の軸受５により、回転自在にかつ軸線方向に移動可能に支持されている。
また、各パネル２の裏面の中心部には、軸受７が立設されている。この軸受７は、パネル２の裏面側に設けられた駆動モータ６に接続された回転軸（図示せず）を回転自在に支持しており、この回転軸の回転により、パネル２の受光面の法線（中心点から垂直方向に延びた線）を中心にパネル２は回転する。
【００１９】
上記構成の追尾型太陽光発電装置では、各駆動手段３の回転モータの駆動により、各回転・移動軸１ａ，１ｂ，１ｃ‥‥‥は回転し、パネル２は、図３から図４に示すように受光面の向きを変えることで、太陽の日の出から日の入りまでの方位角に追尾する。
また、駆動手段３の移動モータの駆動により、回転・移動軸１ａ，１ｂ，１ｃ‥‥‥は、軸線方向に移動し、その移動に伴いパネル２は、図５に示す位置から図６に示す位置に移動する。
また、駆動モータ６の駆動により、パネル２は、パネル２の受光面の法線を中心として回転し、図７から図８に示すように回転する。
【００２０】
この実施の形態の追尾型太陽光発電装置では、駆動手段３の移動モータの駆動により、各回転・移動軸１ａ，１ｂ，１ｃ‥‥‥を、軸線方向に移動させることで、東西方向に隣接したパネル２間におけるパネル２による東西方向に延びた影８の干渉を低減することができる。
図９は、この追尾型太陽光発電装置の使用例における、日の出、日の入りの時間での様子を示しており、この時間はパネル２による東西方向にのびる影８が一番長くなる。しかしながら、この各影８は、東西方向に隣接した、パネル２間の空間に向かって延びており、東西方向に隣接したパネル２に対する干渉が低減される。
また、太陽の移動とともに、各回転・移動軸１ａ，１ｂ，１ｃ‥‥‥は、太陽に追尾するように回転するが、その回転とともにパネル２により生じる影８の長さ、方向が変化する。各回転・移動軸１ａ，１ｂ，１ｃ‥‥‥は、この変化に応じて駆動手段３の移動モータの駆動により軸線方向に移動し、東西方向に隣接したパネル２に対する影８の干渉は低減される。
なお、各回転・移動軸１ａ，１ｂ，１ｃ‥‥‥の回転、移動はそれぞれ、例えば５分間隔で行われる。
【００２１】
このように、各回転・移動軸１ａ，１ｂ，１ｃ‥‥‥を軸線方向に移動することで、東西方向に隣接したパネル２に対する影８の干渉が低減されるので、隣接した各回転・移動軸１ａ，１ｂ，１ｃ‥‥‥間の間隔を小さくすることができ、追尾型太陽光発電装置の設置スペースを小さくすることができる。
また、この実施の形態の太陽光発電装置は、影８の干渉が低減される分だけ、発電量が増大する。
また、各回転・移動軸１ａ，１ｂ，１ｃ‥‥‥の端部にそれぞれ設けられた駆動手段３の駆動により、各回転・移動軸１ａ，１ｂ，１ｃ‥‥‥にそれぞれ取り付けられた複数のパネル２は、一度に回転、移動されるので、迅速に回転、移動されるとともに、モータ数が減少し、製造コストが低減し、またメインテナンスが軽減されるという効果もある。
【００２２】
図１０は、この追尾型太陽光発電装置の他の使用例における、日の出、日の入りの時間での様子を示しており、駆動モータ６の駆動により、パネル２の受光面の法線を中心として各パネル２を９０°回転した点が図９に示した例と異なる。
他は図９の使用例と同じで、日中においては、各回転・移動軸１ａ，１ｂ，１ｃ‥‥‥は、回転及び移動はするものの、法線を中心とした各パネル２の回転はしない。
この使用例は、図９に示した例と同様に、各回転・移動軸１ａ，１ｂ，１ｃ‥‥‥の軸線方向に移動することで東西方向に隣接したパネル２に対する影８Ａの干渉は低減される。
また、この影８Ａは、図９に示した影８と同じ面積であるが、パネル２の南北方向の長さが大きくなった分だけ南北方向の隣接したパネル２間の距離を大きくしなければならないものの、東西方向に隣接した、回転・移動軸１ａ，１ｂ，１ｃ‥‥‥間の間隔を小さくすることができ、全体として必要とする設置スペースを小さくすることができる。
【００２３】
図１１は、この追尾型太陽光発電装置のさらに他の使用例を示すもので、この使用例では、日の出から日の入りまでの間、駆動モータ６の駆動により、パネル２の受光面の法線を中心としてパネル２も断続的に回転する。
この駆動モータ６は、影８Ｂが隣接したパネル２に当たる領域を制御するように駆動制御されている。
他は図９の使用例と同じである。
なお、図１１では、回転・移動軸１ａ，１ｃの軸線とパネル２の対角線が重なるようにパネル２が位置した比較例も併せて示している。
この例は、正午ではパネル２の回転により、回転・移動軸１ｂの軸線にパネル２の辺の中点が位置するようになっている。
この例により生じる影８Ｂは、比較例の影８Ｃと比較して、南北方向に延びた影は短く、それだけ南北方向に隣接した、パネル２間の距離を小さくすることができる。
また、隣接したパネル２に影８Ｂが及ぶ場合でも、影８Ｂが発電能力の低下が低い領域に及ぶようにパネル２は駆動制御されている。
【００２４】
この使用例では、設置スペースを小さくすることができるとともに、駆動モータ６の駆動により、パネル２の受光面の法線を中心としてパネル２も断続的に回転することで、隣接したパネル２に当たる影８Ｂの位置を制御することができ、発電能力を向上させることができる。
【００２５】
実施の形態２．
図１２はこの発明の実施の形態２の追尾型太陽光発電装置を示す要部斜視図である。
この追尾型太陽光発電装置では、南北方向に延びているとともに東西方向に等分間隔で設置された複数の回転・移動軸１１ａ‥‥‥に、それぞれ等分間隔でパネル２が固定されており、実施の形態１の追尾型太陽光発電装置と異なりパネル２を回転させるための駆動モータ６を有していない。
他の構成は、実施の形態１と同じである。
【００２６】
上記構成の追尾型太陽光発電装置では、各駆動手段３の回転モータの駆動により、各回転・移動軸１１ａ‥‥‥を回転することで、パネル２は、図１３から図１４に示すようにパネル２の受光面の向きが変わり、太陽の日の出から日の入りまでの方位角に沿って追尾する。
また、駆動手段３の移動モータの駆動により、図１５から図１６に示すようにパネル２の位置を南北の水平方向に移動し、パネル２による東西方向に隣接したパネル２に対する影８の干渉は低減される。
【００２７】
この実施の形態では、実施の形態１の追尾型太陽光発電装置と比較して、パネル２の受光面の法線を中心としたパネル２の回転機能を有していない分、隣接したパネル２に当たる影の位置を制御することができないが、他の作用、効果は実施の形態１と同じである。
【００２８】
実施の形態３．
図１７はこの発明の実施の形態３の追尾型太陽光発電装置を示す全体構成図、図１８は図１７の要部斜視図である。
この追尾型太陽光発電装置では、各回転・移動軸２１ａ，２１ｂ，２１ｃ‥‥‥は、等分間隔で配置された逆Ｖ字形状のベース４の頭部の軸受５により、回転自在にかつ軸線方向に移動可能に支持されている。
各回転・移動軸２１ａ，２１ｂ，２１ｃ‥‥‥は、軸受５に挿入された軸本体９と、軸本体９間に形成された平板状のパネル支持部１０が形成されている。このパネル支持部１０と軸受７との間には、第１のレバー１１が設けられている。この第１のレバー１１は、一端部が第１の支点１２で回転自在にパネル支持部１０に支持され、他端部が第２の支点１３で回転自在に軸受７に支持されている。
【００２９】
また、各回転・移動軸２１ａ，２１ｂ，２１ｃ‥‥‥と並んで回転・移動軸２１ａ，２１ｂ，２１ｃ‥‥‥と同期して回転する傾斜角変更用軸１４が設けられている。この傾斜角変更用軸１４は、軸本体９に軸線方向に移動可能に貫通している。この傾斜角変更用軸１４と軸受７との間には、第２のレバー１５が設けられている。この第２のレバー１５は、一端部が第３の支点１６で回転自在に傾斜角変更用軸１４に支持され、他端部が第２の支点１３で回転自在に軸受７に支持されている。
ここで、第１のレバー１１と第２のレバー１５は、傾斜角変更機構を構成しており、この傾斜角変更機構により、回転・移動軸２１ａ，２１ｂ，２１ｃ‥‥‥と傾斜角変更用軸１４との相対移動により、パネル２の南北方向に対する傾斜角度を変更可能にする。
各回転・移動軸２１ａ，２１ｂ，２１ｃ‥‥‥‥、傾斜角変更用軸１４の一端部は、駆動手段１７に連結されている。
この駆動手段１７では、回転・移動軸２１ａ，２１ｂ，２１ｃ‥‥‥‥及び傾斜角変更用軸１４を同期して回転させるそれぞれの回転モータ（図示せず）と、回転・移動軸２１ａ，２１ｂ，２１ｃ‥‥‥‥及び傾斜角変更用軸１４に連結され、回転・移動軸２１ａ，２１ｂ，２１ｃ‥‥‥、傾斜角変更用軸１４を軸線方向に移動させる移動モータ（図示せず）と、この移動モータからの駆動力を回転・移動軸２１ａ，２１ｂ，２１ｃ‥‥‥、または傾斜角変更用軸１４に伝達するように切り換える切換機構とがケース内にそれぞれ収納されている。
他の構成は実施の形態１と同じである。
なお、勿論、上記切換機構を削除し、回転・移動軸２１ａ，２１ｂ，２１ｃ‥‥‥、傾斜角変更用軸１４を軸線方向に移動させる移動モータをそれぞれ設けるようにしてもよい。
【００３０】
上記構成の追尾型太陽光発電装置では、各駆動手段１７の回転モータの駆動により、各回転・移動軸２１ａ，２１ｂ，２１ｃ‥‥‥、及び傾斜角変更用軸１４は回転し、パネル２は、図１９から図２０に示すように受光面の向きを変えることで、太陽の日の出から日の入りまでの方位角に沿って追尾する。
また、駆動手段１７の移動モータの駆動により、回転・移動軸２１ａ，２１ｂ，２１ｃ‥‥‥は、軸線方向に移動し、その移動に伴いパネル２は、図２１に示す位置から図２２に示す位置に移動する。
【００３１】
また、各駆動手段１７の移動モータの駆動により、傾斜角変更用軸１４は軸線方向に移動し、この移動に伴い、第１のレバー１１は第１の支点１２を中心に回動するとともに、第２のレバー１５は第２の支点１３を中心に回動し、第１の支点１２と第３の支点１６との距離が大きくなる。この結果、パネル２は、図２３から図２４に示すように、南北方向に対しての傾斜角度を変えることで、四季によって変化する赤緯の変化に追尾することができる。
また、駆動モータ６の駆動により、パネル２は、パネル２の受光面の法線を中心として回転し、図２５から図２６に示すように回転する。
【００３２】
この実施の形態では、回転・移動軸２１ａ，２１ｂ，２１ｃと、この回転・移動軸２１ａ，２１ｂ，２１ｃに並設された傾斜角変更用軸１４とを軸線方向に相対的に移動するという簡単な構成で、南北方向に対してのパネル２の傾斜角度を変えることができるので、四季によって変化する赤緯の変化に追尾することが可能となり、パネル２の受光面を太陽と直交する方向に常に向けることができ、発電能力が実施の形態１，２のものと比較して増大する。
また、各回転・移動軸２１ａ，２１ｂ，２１ｃに取り付けられた各パネル２は、各回転・移動軸２１ａ，２１ｂ，２１ｃ単位で同時に傾斜角度を変更することができ、傾斜角度の変更を迅速に行うことができる。
また、回転・移動軸２１ａ，２１ｂ，２１ｃ‥‥‥‥及び傾斜角変更用軸１４の軸線方向の移動には、共通の移動モータを用いており、モータ数が減少し、製造コストが低減されるとともに、メインテナンスが軽減されるという効果もある。
他の作用、効果は、実施の形態１と同じである。
【符号の説明】
【００３３】
１ａ，１ｂ，１ｃ，１１ａ，１１ｂ，１１ｃ，２１ａ，２１ｂ，２１ｃ  回転・移動軸、２  太陽電池パネル、３，１７  駆動手段、４  ベース、５  軸受、６  駆動モータ、７  軸受、８，８Ａ，８Ｂ，８Ｃ  影、９  軸本体、１０  パネル支持部、１１  第１のバー、１２  第１の支点、１３  第２の支点、１４  傾斜角変更用軸、１５  第２のレバー、１６  第３の支点。
【図１】
2010205762.tif 000003
【図２】
2010205762.tif 000004
【図３】
2010205762.tif 000005
【図４】
2010205762.tif 000006
【図５】
2010205762.tif 000007
【図６】
2010205762.tif 000008
【図７】
2010205762.tif 000009
【図８】
2010205762.tif 000010
【図９】
2010205762.tif 000011
【図１０】
2010205762.tif 000012
【図１１】
2010205762.tif 000013
【図１２】
2010205762.tif 000014
【図１３】
2010205762.tif 000015
【図１４】
2010205762.tif 000016
【図１５】
2010205762.tif 000017
【図１６】
2010205762.tif 000018
【図１７】
2010205762.tif 000019
【図１８】
2010205762.tif 000020
【図１９】
2010205762.tif 000021
【図２０】
2010205762.tif 000022
【図２１】
2010205762.tif 000023
【図２２】
2010205762.tif 000024
【図２３】
2010205762.tif 000025
【図２４】
2010205762.tif 000026
【図２５】
2010205762.tif 000027
【図２６】
2010205762.tif 000028
【図２７】
2010205762.tif 000029
【図２８】
2010205762.tif 000030
【図２９】
2010205762.tif 000031